(57)【要約】    【課題】      ユーザのニーズに応じた柔軟な情報を提供し、配信サーバーの処理負荷を軽減するとともにリアルタイムな情報を得ること。    【解決手段】  時刻計測部１０５は、現在の時刻を計測する。運行情報選択部１０６は、運行情報の内、現在の時刻から所定時間経過後の時刻までの時間内の発車時刻の運行情報を選択する。位置測定部１０８は、現在地を測定する。運行情報決定部１０９は、現在地から所定の範囲内の駅を選択するとともに、運行情報選択部１０６にて選択された運行情報の内、選択した駅の電車の発車時刻の運行情報を選択する。表示部１１０は、選択した運行情報を現在時刻に近い発車時刻のものから順番に表示する。  【選択図】      図１
2005219632.tif 000002
【特許請求の範囲】
【請求項１】
乗り物の乗車位置を示す情報である乗車位置情報と乗り物の前記乗車位置毎の発車時刻または到着時刻を示す情報である運行情報とを受信する受信手段と、
現在地を測定する位置測定手段と、
現在の時刻を計測する時刻計測手段と、
現在地から所定の距離以内である前記乗車位置を選択するとともに選択した前記乗車位置における現在の時刻から所定時間経過した時刻までの時間内の前記発車時刻または前記到着時刻の前記運行情報を選択する運行情報決定手段と、
前記運行情報決定手段にて選択された前記運行情報の前記発車時刻または前記到着時刻を表示する表示手段と、
を具備することを特徴とする端末装置。
【請求項２】
前記表示手段は、前記運行情報の前記発車時刻または前記到着時刻が現在の時刻に近いほど先頭に表示することを特徴とする請求項１記載の端末装置。
【請求項３】
前記運行情報決定手段にて選択された前記運行情報の前記発車時刻または前記到着時刻を音声にて出力する音声出力手段を具備することを特徴とする請求項１または請求項２記載の端末装置。
【請求項４】
催し物の開催場所を示す情報である開催場所情報と前記開催場所にて前記催し物が開催される開始時刻の情報である開始時刻情報とを受信する受信手段と、
現在地を測定する位置測定手段と、
現在の時刻を計測する時刻計測手段と、
現在地から所定の距離以内である前記開催場所を選択するとともに選択した前記開催場所における現在の時刻以降の前記開始時刻の前記開始時刻情報を選択する表示決定手段と、
前記表示決定手段にて選択された前記開始時刻情報の前記開始時刻を表示する表示手段と、
を具備することを特徴とする端末装置。
【請求項５】
前記表示手段は、前記開始時刻情報の前記開始時刻が現在の時刻に近いほど先頭に表示することを特徴とする請求項４記載の端末装置。
【請求項６】
前記表示決定手段にて選択された前記開始時刻情報の前記開始時刻を音声にて出力する音声出力手段を具備することを特徴とする請求項４または請求項５記載の端末装置。
【請求項７】
請求項１から請求項３のいずれかに記載の端末装置に前記乗車位置情報及び前記運行情報を送信する配信サーバーであって、
前記配信サーバーは、
前記乗車位置情報及び前記運行情報を送信データに含めて送信信号を生成する送信信号生成手段と、
前記送信信号生成手段にて生成された送信信号を送信する送信手段と、
を具備することを特徴とする配信サーバー。
【請求項８】
前記送信信号生成手段は、各乗車位置における乗り物の発車時刻または到着時刻が変更される毎に前記運行情報の前記発車時刻または前記到着時刻を変更することを特徴とする請求項７記載の配信サーバー。
【請求項９】
請求項４から請求項６のいずれかに記載の端末装置に前記開催場所情報及び前記開始時刻情報を送信する配信サーバーであって、
前記配信サーバーは、
前記開催場所情報及び前記開始時刻情報を送信データに含めて送信信号を生成する送信信号生成手段と、
前記送信信号生成手段にて生成された送信信号を送信する送信手段と、
を具備することを特徴とする配信サーバー。
【請求項１０】
乗り物の乗車位置を示す情報である乗車位置情報と乗り物の前記乗車位置毎の発車時刻または到着時刻を示す情報である運行情報とを受信するステップと、
現在地を測定するステップと、
現在の時刻を計測するステップと、
現在地から所定の距離以内である前記乗車位置を選択するとともに選択した前記乗車位置における現在の時刻から所定時間経過した時刻までの時間内の前記発車時刻または前記到着時刻の前記運行情報を選択するステップと、
選択された前記運行情報の前記発車時刻または前記到着時刻を表示するステップと、
を具備することを特徴とする受信データ表示方法。
【請求項１１】
前記運行情報の前記発車時刻または前記到着時刻が現在の時刻に近いほど先頭に表示することを特徴とする請求項１０記載の受信データ表示方法。
【請求項１２】
選択された前記運行情報の前記発車時刻または前記到着時刻を音声にて出力することを特徴とする請求項１０または請求項１１記載の受信データ表示方法。
【請求項１３】
催し物の開催場所を示す情報である開催場所情報と前記開催場所にて前記催し物が開催される開始時刻の情報である開始時刻情報とを受信するステップと、
現在地を測定するステップと、
現在の時刻を計測するステップと、
現在地から所定の距離以内である前記開催場所を選択するとともに選択した前記開催場所における現在の時刻以降の前記開始時刻の前記開始時刻情報を選択するステップと、
選択された前記開始時刻情報の前記開始時刻を表示するステップと、
を具備することを特徴とする受信データ表示方法。
【請求項１４】
前記開始時刻情報の前記開始時刻が現在の時刻に近いほど先頭に表示することを特徴とする請求項１３記載の受信データ表示方法。
【請求項１５】
選択された前記開始時刻情報の前記開始時刻を音声にて出力することを特徴とする請求項１３または請求項１４記載の受信データ表示方法。
【発明の詳細な説明】
【技術分野】
【０００１】
本発明は、端末装置及び受信データ表示方法に関し、例えばサーバーから端末装置へ配信データが配信されるサービスに用いられる端末装置及び受信データ表示方法に関する。
【背景技術】
【０００２】
従来、複数の携帯電話に同時に配信データを配信する放送サービスとして、携帯端末と駅務システムを融合させることにより、駅を利用するユーザに対して最終電車の時刻を通知するものが知られている（例えば、特許文献１）。
【０００３】
このような放送サービスにおいて、端末装置は駅センターサーバーに対して位置情報を定期的に送信し、駅センターサーバーは受信した各端末装置の位置情報に基づいて各ユーザの自宅の最寄り駅を考慮した上で、最終電車の時刻をユーザの端末装置に提供するものである。
【特許文献１】特開２００３−２４２５４１号公報
【発明の開示】
【発明が解決しようとする課題】
【０００４】
しかしながら、従来の端末装置及び受信データ表示方法においては、最終電車の時刻のみを通知するので、最終電車を利用しないユーザにとっては価値のない情報であり、ユーザのニーズに応じた柔軟な情報を提供できないという問題がある。また、従来の端末装置及び受信データ表示方法においては、駅のセンターサーバーが各端末装置の位置を考慮して最終電車の時刻を通知するので、多数の端末装置から位置情報が送られてきた場合には、駅センターサーバーにおける処理負荷が増大するという問題がある。また、従来の端末装置及び受信データ表示方法においては、駅センターサーバーの機能及びデータベースの各テーブルの内容を端末装置に全て登録することにより、端末装置だけで現在地からの最終電車の時刻を表示する方法も考えられるが、この場合には、例えば事故等により電車のダイヤが乱れてしまった場合には、ダイヤが乱れた旨の情報が端末装置にて反映されないので、ユーザは駅にて電車が到着するまで長い時間待たされることとなり、リアルタイムな情報を得ることができないという問題がある。また、従来の端末装置及び受信データ表示方法においては、映画等の催し物の鑑賞を希望するユーザの端末装置に対して、催し物の情報を提供できないという問題がある。
【０００５】
本発明はかかる点に鑑みてなされたものであり、ユーザのニーズに応じた柔軟な情報を提供することができ、配信サーバーの処理負荷を軽減することができるとともにリアルタイムな情報を得ることができる端末装置及び受信データ表示方法を提供することを目的とする。
【課題を解決するための手段】
【０００６】
本発明の端末装置は、乗り物の乗車位置を示す情報である乗車位置情報と乗り物の前記乗車位置毎の発車時刻または到着時刻を示す情報である運行情報とを受信する受信手段と、現在地を測定する位置測定手段と、現在の時刻を計測する時刻計測手段と、現在地から所定の距離以内である前記乗車位置を選択するとともに選択した前記乗車位置における現在の時刻から所定時間経過した時刻までの時間内の前記発車時刻または前記到着時刻の前記運行情報を選択する運行情報決定手段と、前記運行情報決定手段にて選択された前記運行情報の前記発車時刻または前記到着時刻を表示する表示手段と、を具備する構成を採る。
【０００７】
この構成によれば、現在地から所定の距離以内である乗り物の乗車位置を選択するとともに、選択した乗車位置における乗り物の発車時刻または到着時刻を選択して表示するので、ユーザのニーズに応じた柔軟な情報を提供することができる。また、乗車位置を選択する処理及び選択した乗車位置における乗り物の発車時刻または到着時刻を選択する処理は端末装置にて行うので、配信サーバーの処理負荷を軽減することができる。また、端末装置に登録された運行情報を表示するのではなくて、配信サーバーからその都度配信される運行情報を表示するので、リアルタイムな情報を得ることができる。
【０００８】
本発明の端末装置は、前記構成において、前記表示手段は、前記運行情報の前記発車時刻または前記到着時刻が現在の時刻に近いほど先頭に表示する構成を採る。
【０００９】
この構成によれば、前記効果に加えて、現在の時刻に近い発車時刻または到着時刻の運行情報は先頭に表示されるので、最も乗車可能性の高い乗り物の運行情報を迅速に見ることができる。
【００１０】
本発明の端末装置は、前記構成において、前記運行情報決定手段にて選択された前記運行情報の前記発車時刻または前記到着時刻を音声にて出力する音声出力手段を具備する構成を採る。
【００１１】
この構成によれば、前記効果に加えて、選択された運行情報を音声にて出力するので、端末装置の画面を見る手間を省くことができる。
【００１２】
本発明の端末装置は、催し物の開催場所を示す情報である開催場所情報と前記開催場所にて前記催し物が開催される開始時刻の情報である開始時刻情報とを受信する受信手段と、現在地を測定する位置測定手段と、現在の時刻を計測する時刻計測手段と、現在地から所定の距離以内である前記開催場所を選択するとともに選択した前記開催場所における現在の時刻以降の前記開始時刻の前記開始時刻情報を選択する表示決定手段と、前記表示決定手段にて選択された前記開始時刻情報の前記開始時刻を表示する表示手段と、を具備する構成を採る。
【００１３】
この構成によれば、現在地から所定の距離以内である催し物の開催場所を選択するとともに、選択した開催場所における催し物が開催される開始時刻の情報を選択して開始時刻を表示するので、ユーザのニーズに応じた柔軟な情報を提供することができる。また、開催場所を選択する処理及び選択した開催場所における催し物が開催される開始時刻を選択する処理は端末装置にて行うので、配信サーバーの処理負荷を軽減することができる。また、端末装置に登録された開始時刻情報を表示するのではなくて、配信サーバーからその都度配信される開始時刻情報を表示するので、リアルタイムな情報を得ることができる。
【００１４】
本発明の端末装置は、前記構成において、前記表示手段は、前記開始時刻情報の前記開始時刻が現在の時刻に近いほど先頭に表示する構成を採る。
【００１５】
この構成によれば、前記効果に加えて、現在の時刻に近い開始時刻の開始時刻情報は先頭に表示されるので、待たずに鑑賞することができる催し物の開催情報を迅速に見ることができる。
【００１６】
本発明の端末装置は、前記構成において、前記表示決定手段にて選択された前記開始時刻情報の前記開始時刻を音声にて出力する音声出力手段を具備する構成を採る。
【００１７】
この構成によれば、前記効果に加えて、選択された開始時刻情報を音声にて出力するので、端末装置の画面を見る手間を省くことができる。
【００１８】
本発明の配信サーバーは、前記に記載の端末装置へ前記乗車位置情報及び前記運行情報を送信する配信サーバーであって、前記配信サーバーは、前記乗車位置情報及び前記運行情報を送信データに含めて送信信号を生成する送信信号生成手段と、前記送信信号生成手段にて生成された送信信号を送信する送信手段と、を具備する構成を採る。
【００１９】
この構成によれば、配信サーバーは端末装置の位置等を考慮することなく乗車位置情報及び運行情報を送信するので、配信サーバーの処理負荷を軽減することができる。
【００２０】
本発明の配信サーバーは、前記構成において、前記送信信号生成手段は、各乗車位置における乗り物の発車時刻または到着時刻が変更される毎に前記運行情報の前記発車時刻または前記到着時刻を変更する構成を採る。
【００２１】
この構成によれば、前記効果に加えて、乗り物の発車時刻または到着時刻が変更される毎に運行情報を更新して端末装置に対して送信するので、運行情報を受信する端末装置にてリアルタイムな情報を得ることができる。
【００２２】
本発明の配信サーバーは、前記に記載の端末装置に前記開催場所情報及び前記開始時刻情報を送信する配信サーバーであって、前記配信サーバーは、前記開催場所情報及び前記開始時刻情報を送信データに含めて送信信号を生成する送信信号生成手段と、前記送信信号生成手段にて生成された送信信号を送信する送信手段と、を具備する構成を採る。
【００２３】
この構成によれば、配信サーバーは端末装置の位置等を考慮することなく開催場所情報及び開始時刻情報を送信するので、配信サーバーの処理負荷を軽減することができる。
【００２４】
本発明の受信データ表示方法は、乗り物の乗車位置を示す情報である乗車位置情報と乗り物の前記乗車位置毎の発車時刻または到着時刻を示す情報である運行情報とを受信するステップと、現在地を測定するステップと、現在の時刻を計測するステップと、現在地から所定の距離以内である前記乗車位置を選択するとともに選択した前記乗車位置における現在の時刻から所定時間経過した時刻までの時間内の前記発車時刻または前記到着時刻の前記運行情報を選択するステップと、選択された前記運行情報の前記発車時刻または前記到着時刻を表示するステップと、を具備するようにした。
【００２５】
この方法によれば、現在地から所定の距離以内である乗り物の乗車位置を選択するとともに、選択した乗車位置における乗り物の発車時刻または到着時刻を選択して表示するので、ユーザのニーズに応じた柔軟な情報を提供することができる。また、乗車位置を選択する処理及び選択した乗車位置における乗り物の発車時刻または到着時刻を選択する処理は端末装置にて行うので、配信サーバーの処理負荷を軽減することができる。また、端末装置に登録された運行情報を表示するのではなくて、配信サーバーからその都度配信される運行情報を表示するので、リアルタイムな情報を得ることができる。
【００２６】
本発明の受信データ表示方法は、前記方法において、前記運行情報の前記発車時刻または前記到着時刻が現在の時刻に近いほど先頭に表示するようにした。
【００２７】
この方法によれば、前記効果に加えて、現在の時刻に近い発車時刻または到着時刻の運行情報は先頭に表示されるので、最も乗車可能性の高い乗り物の運行情報を迅速に見ることができる。
【００２８】
本発明の受信データ表示方法は、前記方法において、選択された前記運行情報の前記発車時刻または前記到着時刻を音声にて出力するようにした。
【００２９】
この方法によれば、前記効果に加えて、選択された運行情報を音声にて出力するので、端末装置の画面を見る手間を省くことができる。
【００３０】
本発明の受信データ表示方法は、催し物の開催場所を示す情報である開催場所情報と前記開催場所にて前記催し物が開催される開始時刻の情報である開始時刻情報とを受信するステップと、現在地を測定するステップと、現在の時刻を計測するステップと、現在地から所定の距離以内である前記開催場所を選択するとともに選択した前記開催場所における現在の時刻以降の前記開始時刻の前記開始時刻情報を選択するステップと、選択された前記開始時刻情報の前記開始時刻を表示するステップと、を具備するようにした。
【００３１】
この方法によれば、現在地から所定の距離以内である催し物の開催場所を選択するとともに、選択した開催場所における催し物が開催される開始時刻の情報を選択して開始時刻を表示するので、ユーザのニーズに応じた柔軟な情報を提供することができる。また、開催場所を選択する処理及び選択した開催場所における催し物が開催される開始時刻を選択する処理は端末装置にて行うので、配信サーバーの処理負荷を軽減することができる。また、端末装置に登録された開始時刻情報を表示するのではなくて、配信サーバーからその都度配信される開始時刻情報を表示するので、リアルタイムな情報を得ることができる。
【００３２】
本発明の受信データ表示方法は、前記方法において、前記開始時刻情報の前記開始時刻が現在の時刻に近いほど先頭に表示するようにした。
【００３３】
この方法によれば、前記効果に加えて、現在の時刻に近い開始時刻の開始時刻情報は先頭に表示されるので、待たずに鑑賞することができる催し物の開催情報を迅速に見ることができる。
【００３４】
本発明の受信データ表示方法は、前記方法において、選択された前記開始時刻情報の前記開始時刻を音声にて出力するようにした。
【００３５】
この方法によれば、前記効果に加えて、選択された開始時刻情報を音声にて出力するので、端末装置の画面を見る手間を省くことができる。
【発明の効果】
【００３６】
本発明によれば、ユーザのニーズに応じた柔軟な情報を提供することができ、配信サーバーの処理負荷を軽減することができるとともにリアルタイムな情報を得ることができる。
【発明を実施するための最良の形態】
【００３７】
本発明の骨子は、現在地から所定の距離以内である乗車位置（駅）を選択するとともに、選択した乗車位置における現在の時刻から所定時間経過した時刻までの時間内の乗り物（電車）の発車時刻または到着時刻を選択して表示することである。また、現在地から所定の距離以内である催し物の開催場所（映画館）を選択するとともに、選択した開催場所における現在の時刻以降に開催される催し物の開始時刻（上映開始時刻）の開始時刻情報を選択して表示することである。
【００３８】
以下、本発明の実施の形態について、図面を参照して詳細に説明する。
【００３９】
（実施の形態１）
図１は、本発明の実施の形態１に係る端末装置１００の構成を示すブロック図である。
【００４０】
データ受信部１０２は、アンテナ１０１にて受信した受信信号を無線周波数からベースバンド周波数へダウンコンバートして駅情報受信部１０３へ出力する。
【００４１】
駅情報受信部１０３は、データ受信部１０２から入力した受信信号より駅情報を抽出して運行情報抽出部１０４及び駅位置抽出部１０７へ出力する。ここで、駅情報は、各駅の位置を示す情報である駅位置情報（乗車位置情報）と各電車の運行状況を示す情報である運行情報とを含む。なお、駅情報は、電車以外の地下鉄の駅またはバスの停留所の位置を示す駅位置情報に相当する情報及び電車以外の地下鉄またはバスの運行状況を示す運行情報に相当する情報を含むものでも良い。
【００４２】
運行情報抽出部１０４は、駅情報受信部１０３から入力した駅情報から運行情報を抽出して運行情報選択部１０６へ出力する。
【００４３】
時刻計測部１０５は、現在の時刻を計測し、計測した時刻の情報である計測時刻情報を運行情報選択部１０６へ出力する。
【００４４】
運行情報選択部１０６は、運行情報抽出部１０４から入力した運行情報の駅毎の各電車の発車時刻または到着時刻と時刻計測部１０５から入力した計測時刻情報の時刻とを比較する。そして、運行情報選択部１０６は、現在の時刻から所定時間経過した時刻までの時間内の発車時刻または到着時刻の運行情報を選択して、選択した運行情報のみを運行情報決定部１０９へ出力する。
【００４５】
駅位置抽出部１０７は、駅情報受信部１０３から入力した駅情報から駅位置情報を抽出して運行情報決定部１０９へ出力する。
【００４６】
位置測定部１０８は、例えばＧＰＳにより端末装置１００の現在地を測定し、測定した現在地の情報である現在地情報を運行情報決定部１０９へ出力する。
【００４７】
運行情報決定部１０９は、駅位置抽出部１０７から入力した駅位置情報の駅の位置と位置測定部１０８から入力した現在地情報の現在地とを比較する。そして、運行情報決定部１０９は、現在地から所定の距離内の駅を選択する。さらに、運行情報決定部１０９は、運行情報選択部１０６から入力した運行情報の内、選択した駅の情報を含む運行情報のみを選択し、選択した運行情報を表示部１１０へ出力する。
【００４８】
表示部１１０は、運行情報決定部１０９から入力した運行情報を表示する。
【００４９】
次に、配信サーバー２００の構成について、図２を用いて説明する。図２は、配信サーバー２００の構成を示すブロック図である。
【００５０】
駅位置情報入力部２０１は、外部から入力された各駅の位置を示すデータより駅位置情報を生成して駅情報生成部２０３へ出力する。
【００５１】
運行情報入力部２０２は、外部から入力された電車の運行の状況を示すデータより運行情報を生成して駅情報生成部２０３へ出力する。この時、運行情報は、例えば電車が事故等により遅れた場合には、遅れる時間を考慮した発車時刻または到着時刻により運行情報を生成する。
【００５２】
送信信号生成手段である駅情報生成部２０３は、駅位置情報入力部２０１から入力した駅位置情報及び運行情報入力部２０２から入力した運行情報を含む駅情報を生成し、生成した駅情報を駅情報送信部２０４へ出力する。
【００５３】
駅情報送信部２０４は、駅情報生成部２０３から入力した駅情報を配信データとして出力する。
【００５４】
次に、端末装置１００の動作について、図３〜図５を用いて説明する。図３は端末装置１００の動作を示すフロー図であり、図４は駅情報を示す図であり、図５は端末装置１００に表示される運行情報を示す図である。
【００５５】
配信サーバー２００は図示しない基地局装置に接続されており、基地局装置がセル内の端末装置１００に対して、１または複数の駅情報を配信するものである。また、基地局装置は、地上波デジタル放送、通信網を使って端末装置に対し一斉配信するＩＰブロードキャスト方式またはＩＰマルチキャスト方式等の放送方式を用いて駅情報を配信する。
【００５６】
最初に、データ受信部１０２は、駅情報を受信する（ステップＳＴ３０１）。駅情報は、図４に示すように、駅位置情報＃４０１及び運行情報＃４０２を含む。また、駅位置情報＃４０１は、例えば横浜駅の位置情報＃４０３及び横浜駅の近くの神奈川駅の位置情報＃４０４を含む。また、運行情報＃４０２は、例えば横浜駅における各電車の発車時刻の情報＃４０５、＃４０６、＃４０７及び神奈川駅における各電車の発車時刻の情報＃４０８を含む。
【００５７】
駅情報は構造性のある言語で記述され、例えば図４に示すようにＸＭＬ（eXtensible Markup Language）を用いて記述される。また、駅情報において、駅位置情報は＜ｌｏｃａｔｉｏｎ＞と＜／ｌｏｃａｔｉｏｎ＞とで囲まれており、運行情報は＜ＩＴＥＭ＞と＜／ＩＴＥＭ＞とで囲まれている。また、駅位置情報＃４０１において、駅名の情報は＜ｓｔａ＞と＜／ｓｔａ＞とで囲まれており、駅の緯度の情報は＜ｌａｔ＞と＜／ｌａｔ＞とで囲まれているとともに、駅の経度の情報は＜ｌｏｎｇ＞と＜／ｌｏｎｇ＞とで囲まれている。また、運行情報＃４０２において、駅名の情報は＜ｓｔａ＞と＜／ｓｔａ＞とで囲まれており、これにより＜ｓｔａ＞と＜／ｓｔａ＞とで囲まれた駅の情報であることが分かる。さらに、運行情報＃４０２において、発車時刻の情報は＜ｔｉｍｅ＞と＜／ｔｉｍｅ＞とで囲まれており、始発駅の情報は＜ｏｒｇ＞と＜／ｏｒｇ＞とで囲まれており、終着駅の情報は＜ｄｓｔ＞と＜／ｄｓｔ＞とで囲まれているとともに、特急等の電車の種別の情報は＜ｔｙｐｅ＞と＜／ｔｙｐｅ＞とで囲まれている。
【００５８】
次に、時刻計測部１０５は現在の時刻を計測するとともに、位置測定部１０８は現在地を測定する（ステップＳＴ３０２）。
【００５９】
次に、運行情報選択部１０６は、現在の時刻から例えば１時間後までに横浜駅及び神奈川駅を発車する電車の発車時刻の情報を選択する。例えば、図４に示すような運行情報＃４０２を受信した場合でかつ現在時刻が１９時５０分である場合、運行情報選択部１０６は、発車時刻の情報＃４０５、＃４０６、＃４０７、＃４０８を選択する。
【００６０】
次に、運行情報決定部１０９は、運行情報選択部１０６にて選択された運行情報の内、駅が端末装置１００から所定の距離以内に存在するか否かを判定する（ステップＳＴ３０３）。そして、駅が端末装置１００から所定の距離以内に存在する場合、運行情報決定部１０９は、現在地から所定の範囲内に存在する駅に関する運行情報を選択する。例えば、図４に示すような運行情報＃４０２を受信した場合でかつ現在地が横浜駅の近くである場合、運行情報決定部１０９は、発車時刻の情報＃４０５、＃４０６、＃４０７を選択する。
【００６１】
次に、表示部１１０は、運行情報決定部１０９にて選択された発車時刻の情報を選択された運行情報として表示する（ステップＳＴ３０４）。例えば、運行情報決定部１０９にて発車時刻の情報＃４０５、＃４０６、＃４０７が選択された場合には、表示部１１０は、発車時刻の情報＃４０５を発車時刻の情報＃５０１として表示し、発車時刻の情報＃４０６を発車時刻の情報＃５０２として表示するとともに、発車時刻の情報＃４０７を発車時刻の情報＃５０３として表示する。この時、発車時刻の情報＃５０１、発車時刻の情報＃５０２、発車時刻の情報＃５０３の順に発車時刻が現在時刻に近くなるので、発車時刻が現在時刻に近い発車時刻の情報ほど先頭に表示する。即ち、表示部１１０は、先頭から発車時刻の情報＃５０１、発車時刻の情報＃５０２、発車時刻の情報＃５０３の順に表示する。なお、図３〜図５において、電車の発車時刻の運行情報を用いることとしたが、電車の到着時刻の運行情報を用いても良い。
【００６２】
このように、本実施の形態１によれば、受信した各時間帯の運行情報から現在地及び現在時刻に応じた運行情報を選択して表示するので、ユーザのニーズに応じた柔軟な情報を提供することができる。また、本実施の形態１によれば、配信サーバーは端末装置毎に駅情報を編集する必要がないので、配信サーバーの処理負荷を軽減することができる。また、本実施の形態１によれば、事故等により運行状況が変更された場合において、配信サーバーから変更された運行状況を考慮した駅情報の配信を受けることができるので、端末装置のユーザはリアルタイムな情報を得ることができる。また、本実施の形態１によれば、現在の時刻に近い発車時刻または到着時刻の運行情報は先頭に表示されるので、最も乗車可能性の高い電車の運行情報を迅速に見ることができる。
【００６３】
なお、本実施の形態１において、電車の運行情報を端末装置に表示することとしたが、これに限らず、あらかじめ決められた乗り場において決められた時刻にて発着するようなバスまたは飛行機等の乗り物であれば、任意の乗り物の運行情報を端末装置に表示することが可能である。また、本実施の形態１において、現在時刻に近い発着時刻の運行情報であるほど先頭に表示するようにしたが、これに限らず、受信した順番に運行情報を表示する等のように任意の順番にて運行情報を表示可能である。また、本実施の形態１において、横浜駅の運行情報を表示することとしたが、これに限らず、任意の場所の最寄り駅の運行情報を表示することが可能である。また、本実施の形態１において、配信サーバー２００は基地局に接続されることとしたが、これに限らず、複数の基地局に１つの配信サーバー２００が接続されるようにしても良い。また、本実施の形態１において、配信サーバー２００は基地局と接続されることとしたが、これに限らず、ネットワークを介して基地局と接続されるようにしても良い。
【００６４】
（実施の形態２）
図６は、本発明の実施の形態２に係る端末装置６００の構成を示すブロック図である。
【００６５】
データ受信部６０２は、アンテナ６０１にて受信した受信信号を無線周波数からベースバンド周波数へダウンコンバートして催し物情報受信部６０３へ出力する。
【００６６】
催し物情報受信部６０３は、データ受信部６０２から入力した受信信号より催し物情報を抽出して開催情報抽出部６０４及び会場位置情報抽出部６０７へ出力する。ここで、催し物情報は、各催し物の開催場所の情報である会場位置情報（開催場所情報）と各開催場所における催し物が開催される開始時刻の情報である開催情報（開始時刻情報）とを含む。また、催し物情報は、映画、劇または展覧会等の種別の情報及び催し物の内容の情報等を含んでいる。
【００６７】
開催情報抽出部６０４は、催し物情報受信部６０３から入力した催し物情報から開催情報を抽出して開催情報選択部６０６へ出力する。
【００６８】
時刻計測部６０５は、現在の時刻を計測し、計測した時刻の情報である計測時刻情報を開催情報選択部６０６へ出力する。
【００６９】
開催情報選択部６０６は、開催情報抽出部６０４から入力した開催情報の開催場所毎の催し物の開始時刻と時刻計測部６０５から入力した計測時刻情報の時刻とを比較する。そして、開催情報選択部６０６は、現在の時刻以降の開始時刻の開催情報を選択して、選択した開催情報のみを開催情報決定部６０９へ出力する。
【００７０】
会場位置情報抽出部６０７は、催し物情報受信部６０３から入力した催し物情報から会場位置情報を抽出して開催情報決定部６０９へ出力する。
【００７１】
位置測定部６０８は、例えばＧＰＳにより端末装置６００の現在地を測定し、測定した現在地の情報である現在地情報を開催情報決定部６０９へ出力する。
【００７２】
開催情報決定部６０９は、会場位置情報抽出部６０７から入力した会場位置情報の催し物が開催される開催場所の位置と位置測定部６０８から入力した現在地情報の現在地とを比較する。そして、開催情報決定部６０９は、現在地から所定の距離内の開催場所を選択する。さらに、開催情報決定部６０９は、開催情報選択部６０６から入力した開催情報の内、選択した開催場所の開催情報のみを選択し、選択した開催情報を表示部６１０へ出力する。
【００７３】
表示部６１０は、開催情報決定部６０９から入力した開催情報を表示する。
【００７４】
次に、配信サーバー７００の構成について、図７を用いて説明する。図７は、配信サーバー７００の構成を示すブロック図である。
【００７５】
会場位置情報入力部７０１は、外部から入力した各催し物が開催される会場の位置を示すデータより会場位置情報を生成して催し物情報生成部７０３へ出力する。
【００７６】
開催情報入力部７０２は、外部から入力した催し物が開催される開始時刻のデータより開催情報を生成して催し物情報生成部７０３へ出力する。
【００７７】
送信信号生成手段である催し物情報生成部７０３は、会場位置情報入力部７０１から入力した会場位置情報及び開催情報入力部７０２から入力した開催情報を含む催し物情報を生成し、生成した催し物情報を催し物情報送信部７０４へ出力する。
【００７８】
催し物情報送信部７０４は、催し物情報生成部７０３から入力した催し物情報を配信データとして出力する。
【００７９】
次に、端末装置６００の動作について、図８〜図１０を用いて説明する。図８は端末装置６００の動作を示すフロー図であり、図９は催し物情報を示す図であり、図１０は端末装置６００に表示される開始時刻情報を示す図である。
【００８０】
配信サーバー７００は図示しない基地局装置に接続されており、基地局装置がセル内の端末装置６００に対して、１または複数の催し物情報を配信するものである。また、基地局装置は、地上波デジタル放送、通信網を使って端末装置に対し一斉配信するＩＰブロードキャスト方式またはＩＰマルチキャスト方式等の放送方式を用いて催し物情報を配信する。
【００８１】
最初に、データ受信部６０２は、催し物情報を受信する（ステップＳＴ８０１）。催し物情報は、図９に示すように、会場位置情報＃９０１及び開催情報＃９０２を含む。また、会場位置情報＃９０１は、例えば横浜映画館の会場位置情報＃９０３及び横浜映画館の近くの神奈川映画館の会場位置情報＃９０４を含む。また、開催情報＃９０２は、例えば横浜映画館における開催情報＃９０５、＃９０６、＃９０７及び神奈川映画館における開催情報＃９０８、＃９０９を含む。
【００８２】
催し物情報は構造性のある言語で記述され、例えば図９に示すようにＸＭＬ（eXtensible Markup Language）を用いて記述される。また、催し物情報において、会場位置情報＃９０１は＜ｌｏｃａｔｉｏｎ＞と＜／ｌｏｃａｔｉｏｎ＞とで囲まれており、開催情報＃９０２は＜ＩＴＥＭ＞と＜／ＩＴＥＭ＞とで囲まれている。また、会場位置情報＃９０１において、映画館名の情報は＜ｃｉｎｅｍａ＞と＜／ｃｉｎｅｍａ＞とで囲まれており、映画館の緯度の情報は＜ｌａｔ＞と＜／ｌａｔ＞とで囲まれているとともに、映画館の経度の情報は＜ｌｏｎｇ＞と＜／ｌｏｎｇ＞とで囲まれている。また、開催情報＃９０２において、映画館名の情報は＜ｃｉｎｅｍａ＞と＜／ｃｉｎｅｍａ＞とで囲まれており、これにより＜ｃｉｎｅｍａ＞と＜／ｃｉｎｅｍａ＞とで囲まれた映画館の情報であることが分かる。さらに、開催情報＃９０２において、上映開始時刻の情報は＜ｔｉｍｅ＞と＜／ｔｉｍｅ＞とで囲まれており、上映されている映画タイトルの情報は＜ｔｉｔｌｅ＞と＜／ｔｉｔｌｅ＞とで囲まれており、空席状況の情報は＜ｓｔａｔｕｓ＞と＜／ｓｔａｔｕｓ＞とで囲まれている。
【００８３】
次に、時刻計測部６０５は現在の時刻を計測するとともに、位置測定部６０８は現在地を測定する（ステップＳＴ８０２）。
【００８４】
次に、開催情報選択部６０６は、現在の時刻から例えば１時間半後までに上映が開始される開始時刻の情報を選択する。例えば、図９に示すような開催情報＃９０２を受信した場合でかつ現在時刻が１７時５０分である場合、開催情報選択部６０６は、２０時２０分までに上映が開始される開催情報＃９０５、＃９０６、＃９０７、＃９０８を選択する。
【００８５】
次に、開催情報決定部６０９は、開催情報選択部６０６にて選択された開催情報の内、会場が端末装置６００から所定の距離以内に存在するか否かを判定する（ステップＳＴ８０３）。そして、会場が端末装置６００から所定の距離以内に存在する場合、開催情報決定部６０９は、現在地から所定の範囲内に存在する会場における開催情報を選択する。例えば、図９に示すような開催情報＃９０２を受信した場合でかつ現在地が横浜映画館の近くである場合、開催情報決定部６０９は、開催情報＃９０５、＃９０６、＃９０７を選択する。
【００８６】
次に、表示部６１０は、開催情報決定部６０９にて選択された開催情報を選択された開催情報として表示する（ステップＳＴ８０４）。例えば、開催情報決定部６０９にて開催情報＃９０５、＃９０６、＃９０７が選択された場合には、表示部６１０は、開催情報＃９０５を開催情報＃１００１として表示し、開催情報＃９０６を開催情報＃１００２として表示するとともに、開催情報＃９０７を開催情報＃１００３として表示する。この時、開催情報＃１００１、開催情報＃１００２、開催情報＃１００３の順に上映開始時刻が現在時刻に近くなるので、上映開始時刻が現在時刻に近い開催情報ほど先頭に表示する。即ち、表示部６１０は、先頭から開催情報＃１００１、開催情報＃１００２、開催情報＃１００３の順に表示する。この時、表示部６１０は、各開催情報に空席状況の情報を含めて表示する。
【００８７】
このように、本実施の形態２によれば、受信した各時間帯の催し物情報から現在地及び現在時刻に応じた開催情報を選択して表示するので、ユーザのニーズに応じた柔軟な情報を提供することができる。また、本実施の形態２よれば、配信サーバーは端末装置毎に催し物情報を編集する必要がないので、配信サーバーの処理負荷を軽減することができる。また、本実施の形態２によれば、上映開始時刻が変更された場合において、配信サーバーから変更された上映開始時刻を考慮した催し物情報の配信を受けることができるので、端末装置のユーザはリアルタイムな情報を得ることができる。また、本実施の形態２によれば、現在の時刻に近い上映時刻の開催情報は先頭に表示されるので、待たずに鑑賞することができる催し物の開催情報を迅速に見ることができる。
【００８８】
なお、本実施の形態２において、映画館の上映開始時刻を端末装置に表示することとしたが、これに限らず、劇または展覧会等の任意の催し物の開催時刻を表示することが可能である。また、本実施の形態２において、現在時刻に近い上映時刻の開催情報であるほど先頭に表示するようにしたが、これに限らず、受信した順番に開催情報を表示する等のように任意の順番にて開催情報を表示可能である。また、本実施の形態２において、配信サーバー７００は基地局に接続されることとしたが、これに限らず、複数の基地局に１つの配信サーバー７００が接続されるようにしても良い。また、本実施の形態２において、配信サーバー７００は基地局と接続されることとしたが、これに限らず、ネットワークを介して基地局と接続されるようにしても良い。
【００８９】
（実施の形態３）
図１１は、本発明の実施の形態３に係る端末装置１１００の構成を示すブロック図である。
【００９０】
本実施の形態３に係る端末装置１１００は、図１に示す実施の形態１に係る端末装置１００において、図１１に示すように、表示部１１０の代わりに音声出力部１１０１を有する。なお、図１１においては、図１と同一構成である部分には同一の符号を付してその説明は省略する。また、配信サーバーの構成は図２と同一構成であるので、その説明は省略する。
【００９１】
運行情報決定部１０９は、駅位置抽出部１０７から入力した駅位置情報の駅の位置と位置測定部１０８から入力した現在地情報の現在地とを比較する。そして、運行情報決定部１０９は、現在地から所定の距離内の駅を選択する。さらに、運行情報決定部１０９は、運行情報選択部１０６から入力した運行情報の内、選択した駅の情報を含む運行情報のみを選択し、選択した運行情報を音声データに変換して音声出力部１１０１へ出力する。
【００９２】
音声出力部１１０１は、運行情報決定部１０９から入力した音声データを出力する。この場合、音声出力部１１０１は、運行情報決定部１０９にて選択した運行情報を音声にて読み上げる。また、音声出力部１１０１は、現在時刻に近い発着時刻の運行情報から順番に音声にて出力する。なお、端末装置１１００の動作は、運行情報を表示する代わりに運行情報を音声にて出力する以外は図３と同一動作であるので、その説明は省略する。
【００９３】
このように、本実施の形態３によれば、上記実施の形態１の効果に加えて、運行情報を音声にて出力するので、端末装置の画面を見る手間を省くことができる。
【００９４】
なお、本実施の形態３において、電車の運行情報を端末装置より音声にて出力することとしたが、これに限らず、あらかじめ決められた乗り場において決められた時刻にて発着するようなバスまたは飛行機等の乗り物であれば、任意の乗り物の運行情報を端末装置より音声にて出力することが可能である。また、本実施の形態３において、現在時刻に近い発着時刻の運行情報であるほど先に音声にて出力するようにしたが、これに限らず、受信した順番に運行情報を音声にて出力する等のように任意の順番にて運行情報を音声にて出力することが可能である。また、本実施の形態３において、横浜駅の運行情報を音声にて出力することとしたが、これに限らず、任意の場所の最寄り駅の運行情報を音声にて出力することが可能である。また、本実施の形態３において、配信サーバー２００は基地局に接続されることとしたが、これに限らず、複数の基地局に１つの配信サーバー２００が接続されるようにしても良い。また、本実施の形態３において、配信サーバー２００は基地局と接続されることとしたが、これに限らず、ネットワークを介して基地局と接続されるようにしても良い。また、実施の形態３において、運行情報を音声のみにより出力することとしたが、これに限らず、運行情報を表示するとともに音声にて出力するようにしても良い。
【００９５】
（実施の形態４）
図１２は、本発明の実施の形態４に係る端末装置１２００の構成を示すブロック図である。
【００９６】
本実施の形態４に係る端末装置１２００は、図６に示す実施の形態２に係る端末装置６００において、図１２に示すように、表示部６１０の代わりに音声出力部１２０１を有する。なお、図１２においては、図６と同一構成である部分には同一の符号を付してその説明は省略する。
【００９７】
開催情報決定部６０９は、会場位置情報抽出部６０７から入力した会場位置情報の催し物が開催される開催場所の位置と位置測定部６０８から入力した現在地情報の現在地とを比較する。そして、開催情報決定部６０９は、現在地から所定の距離内の開催場所を選択する。さらに、開催情報決定部６０９は、開催情報選択部６０６から入力した開催情報の内、選択した開催場所の開催情報のみを選択し、選択した開催情報を音声データに変換して音声出力部１２０１へ出力する。
【００９８】
音声出力部１２０１は、開催情報決定部６０９から入力した音声データを出力する。この場合、音声出力部１２０１は、開催情報決定部６０９にて選択した開催情報を音声にて読み上げる。また、音声出力部１２０１は、現在時刻に近い上映開始時刻の開催情報から順番に音声にて出力する。なお、端末装置１２００の動作は、開催情報を表示する代わりに開催情報を音声にて出力する以外は図８と同一動作であるので、その説明は省略する。
【００９９】
このように、本実施の形態４によれば、上記実施の形態２の効果に加えて、開催情報を音声にて出力するので、端末装置の画面を見る手間を省くことができる。
【０１００】
なお、本実施の形態４において、映画館の上映開始時刻を端末装置より音声にて出力することとしたが、これに限らず、劇または展覧会等の任意の催し物の開催時刻を音声にて出力することが可能である。また、本実施の形態４において、現在時刻に近い上映時刻の開催情報より順番に音声により出力するようにしたが、これに限らず、受信した順番に開催情報を音声にて出力するように任意の順番にて開催情報を音声にて出力することが可能である。また、本実施の形態４において、配信サーバー７００は基地局に接続されることとしたが、これに限らず、複数の基地局に１つの配信サーバー７００が接続されるようにしても良い。また、本実施の形態４において、配信サーバー７００は基地局と接続されることとしたが、これに限らず、ネットワークを介して基地局と接続されるようにしても良い。また、実施の形態４において、開催情報を音声のみにより出力することとしたが、これに限らず、開催情報を表示するとともに音声にて出力するようにしても良い。
【産業上の利用可能性】
【０１０１】
本発明にかかる端末装置及び受信データ表示方法は、ユーザのニーズに応じた柔軟な情報を提供することができ、配信サーバーの処理負荷を軽減することができるとともにリアルタイムな情報を得る効果を有し、受信データを表示するのに有用である。
【図面の簡単な説明】
【０１０２】
【図１】本発明の実施の形態１に係る端末装置の構成を示すブロック図
【図２】本発明の実施の形態１に係る配信サーバーの構成を示すブロック図
【図３】本発明の実施の形態１に係る端末装置の動作を示すフロー図
【図４】本発明の実施の形態１に係る駅情報を示す図
【図５】本発明の実施の形態１に係る運行情報を表示した状態を示す図
【図６】本発明の実施の形態２に係る端末装置の構成を示すブロック図
【図７】本発明の実施の形態２に係る配信サーバーの構成を示すブロック図
【図８】本発明の実施の形態２に係る端末装置の動作を示すフロー図
【図９】本発明の実施の形態２に係る催し物情報を示す図
【図１０】本発明の実施の形態２に係る開催情報を表示した状態を示す図
【図１１】本発明の実施の形態３に係る端末装置の構成を示すブロック図
【図１２】本発明の実施の形態４に係る端末装置の構成を示すブロック図
【符号の説明】
【０１０３】
１００  端末装置
１０２  データ受信部
１０３  駅情報受信部
１０４  運行情報抽出部
１０５  時刻計測部
１０６  運行情報選択部
１０７  駅位置抽出部
１０８  位置測定部
１０９  運行情報決定部
１１０  表示部
【図１】
2005219632.tif 000003
【図２】
2005219632.tif 000004
【図３】
2005219632.tif 000005
【図４】
2005219632.tif 000006
【図５】
2005219632.tif 000007
【図６】
2005219632.tif 000008
【図７】
2005219632.tif 000009
【図８】
2005219632.tif 000010
【図９】
2005219632.tif 000011
【図１０】
2005219632.tif 000012
【図１１】
2005219632.tif 000013
【図１２】
2005219632.tif 000014